(57)【要約】      （修正有）【課題】ディスクカートリッジのロータリシャッターにおいて、シャッターノブの取り付け強度を大きく保ちながらも、取り付け加工を効率的に行えるディスクカートリッジを提供する。【解決手段】ロータリシャッター7におけるシャッターノブ7bの取付位置に、ロータリシャッター7の外面から突出部7lを略円筒状に突出して形成し、シャッターノブ7bが、ロータリシャッター7の突出部7lに圧入されるための挿入穴7hを備えたシャッタノブ取り付け構造とする。【選択図】図３
2004348798.tif 000002
【特許請求の範囲】
【請求項１】
扁平なハウジング内にディスク状の情報記録媒体を回転自在に収容してなるディスクカートリッジであって、前記ハウジングが、ディスクドライブが備えている記録再生ヘッドを前記情報記録媒体の表面にアクセスさせるための開口部と、該開口部を開閉するロータリシャッターとを有し、該ロータリシャッターが、前記ディスクドライブへの装填時に前記ロータリシャッターを開けるために該ディスクドライブに係止されるシャッターノブを備えたディスクカートリッジにおいて、
前記ロータリシャッターにおける前記シャッターノブの取付位置に、該ロータリシャッターの外面から突出した突出部が形成されており、
前記シャッターノブが、前記突出部が圧入される挿入穴を備えたものであることを特徴とするディスクカートリッジ。
【請求項２】
前記突出部の外周に凸部が形成されており、前記挿入穴の前記凸部に対応する位置に凹部が形成されていることを特徴とする請求項１に記載のディスクカートリッジ。
【発明の詳細な説明】
【０００１】
【発明の属する技術分野】
本発明は、ディスク状の情報記録媒体を回転可能に収容するディスクカートリッジに関し、特に、ハウジングに形成された記録再生ヘッドアクセス用の開口部を開閉するためのロータリシャッターに取り付けられたシャッターノブの取付構造に関するものである。
【０００２】
【従来の技術】
従来、デジタルカメラ等のモバイル機器においては、記録媒体としてたとえば「ｃｌｉｋ！（登録商標）」や「Ｐｏｃｋｅｔ  Ｚｉｐ（登録商標）」と呼ばれる超小型の磁気ディスクカートリッジが使用されている（たとえば特許文献１、２参照。）。このディスクカートリッジは、たとえば幅５０ｍｍ、奥行き５５ｍｍ、厚さ１．９５ｍｍの扁平な金属薄板からなる上下シェルを備えたハウジング内に、４０ＭＢの記憶容量を有する直径約１．８インチ（４６．５ｍｍ）の磁気ディスクからなる情報記録媒体５を回転自在に収容したものである。ハウジングにはディスクドライブの記録再生ヘッドが情報記録媒体にアクセスするための開口部が設けられており、開口部には開閉可能なロータリシャッターが設けられている。
【０００３】
このロータリシャッターは、バネにより開口部を閉じる方向に付勢されており、ディスクカートリッジがディスクドライブに挿入されたときに、ディスクドライブから力を受けて開口部を開けるようになっている。具体的には、ロータリシャッターにはディスクドライブへの装填時にディスクドライブに係止されるシャッターノブが取り付けられている。そして、シャッターノブが係止されている状態においてディスクカートリッジがディスクドライブの中に押し込まれると、ロータリシャッターがハウジングに対して相対的に回転し開口部が開くようになっている。
【０００４】
このシャッターノブは、ロータリシャッターに対してカシメ加工により取り付けられている。具体的には、端部が略円柱状に形成されたシャッターノブをロータリシャッターに形成された貫通孔に通した後、シャッターノブの端部にカシメ加工を施すことにより、シャッターノブがロータリシャッターに取り付けられる。
【０００５】
【特許文献１】
米国特許第６１３３５４４号公報
【０００６】
【特許文献２】
米国特許第５９９５３４６号公報
【０００７】
【発明が解決しようとする課題】
ところで、シャッターノブはディスクカートリッジがディスクドライブに挿入されるたびに、ディスクドライブ側から力が加えられる部位であるため、ロータリシャッターとシャッターノブとの取付強度は大きいことが望ましい。したがって、シャッターノブは力が加わっても変形しにくい比較的硬い材料（たとえばアルミ合金等）からなっている。しかし、シャッターノブに硬い材料を用いると、シャッターノブが下シャッタ部材に対してカシメ加工により固定される際、硬い材料からなる略円柱状のシャッターノブを押しつぶす必要が生じ、カシメ加工に手間がかかるという問題がある。
【０００８】
そこで、本発明は、効率的にロータリシャッターにシャッターノブを取り付けることができるディスクカートリッジを提供することを目的とするものである。
【０００９】
【課題を解決するための手段】
本発明のディスクカートリッジは、扁平なハウジング内にディスク状の情報記録媒体を回転自在に収容してなるディスクカートリッジであって、ハウジングが、ディスクドライブが備えている記録再生ヘッドを情報記録媒体の表面にアクセスさせるための開口部と、開口部を開閉するロータリシャッターとを有し、ロータリシャッターが、ディスクドライブへの装填時にロータリシャッターを開けるためにディスクドライブに係止されるシャッターノブを備えたディスクカートリッジにおいて、ロータリシャッターにおけるシャッターノブの取付位置に、ロータリシャッターの外面から突出した突出部が形成されており、シャッターノブが、突出部が圧入される挿入穴を備えたものであることを特徴とするものである。
【００１０】
なお、突出部の外周に凸部が形成されており、挿入穴の凸部に対応する位置に凹部が形成されているものであってもよい。
【００１１】
【発明の効果】
本発明のディスクカートリッジによれば、ロータリシャッターが、ロータリシャッターの外面から突出した突出部を有し、シャッターノブが、突出部が挿入される挿入穴を備えたことにより、シャッターノブをカシメ加工を行うことなくロータリシャッターに取り付けることができるため、効率的にロータリシャッターにシャッターノブを取り付けることができる。
【００１２】
なお、突出部の外周に凸部が形成されており、挿入穴の凸部に対応する位置に凹部が形成されている構造にすれば、シャッターノブが突出部から抜けるのを確実に防止することができる。
【００１３】
【発明の実施の形態】
以下、本発明のディスクカートリッジの実施の形態について、図面を参照して詳細に説明する。図１と図２は、本発明によるディスクカートリッジの実施の形態を示す平面図である。なお、このディスクカートリッジ１は、図１（ａ）、（ｂ）にそのロータリシャッター７が閉状態にある平面図および底面図、図２（ａ）、（ｂ）にロータリシャッター７が開状態にある平面図および底面図をそれぞれ示している。
【００１４】
このディスクカートリッジ１は、押込み部２ａを含む樹脂製の通常スタビライザと呼ばれるフレーム２と、金属薄板からなる上下シェル３，４とによって構成された、幅５０ｍｍ、奥行き５５ｍｍ、厚さ１．９５ｍｍの扁平なハウジング内に、４０ＭＢの記憶容量を有する直径約１．８インチ（４６．５ｍｍ）のディスク状の情報記録媒体５を回転自在に収容したものである。この情報記録媒体５は、フレキシブルな円盤状の磁気ディスクの中心にセンターコア１０を設けた構造を有する。
【００１５】
また、ハウジングは、ディスクドライブの磁気ヘッドを情報記録媒体５の表面にアクセスさせるためのＶ字状の開口部６と、この開口部６を開閉するためのロータリシャッター７とを備えている。そして、ディスクドライブが情報記録媒体５に対して情報の記録再生を行うときには、ロータリシャッター７が開き、開口部６から磁気ヘッドが挿入されるようになっている。一方、ディスクドライブから取り出されたときに開口部６から埃等が入り込まないようにするため、ロータリシャッター７が閉じて開口部６を塞ぐようになっている。
【００１６】
さらに、ハウジングの下シェル４には、情報記録媒体５のセンターコア１０を外部に臨ませる円形の中心孔４ａと、ロータリシャッター７と同心的な円弧状溝４ｂとが形成され、下シャッタ部材７Ｄには、上記円弧状溝４ｂから突出し、かつこの円弧状溝４ｂに沿って移動してロータリシャッター７を開閉するシャッターノブ７ｂが固設されている。そして、ディスクカートリッジ１がディスクドライブに装填されたときに、ディスクドライブの回転駆動源が中心孔４ａから露出したセンターコア１０を保持し、情報記録媒体５を回転駆動させるようになっている。
【００１７】
図３はディスクカートリッジ１におけるシャッターノブ７ｂの周辺部位の断面図を示している。なお、図３（ａ）はシャッターノブ７ｂが下シャッタ部材７Ｄに取り付けられた状態を示しており、図３（ｂ）はシャッターノブ７ｂが下シャッタ部材７Ｄに取り付けられる様子を示している。図３（ａ）において、下シャッタ部材７Ｄのシャッターノブ７ｂの取付位置には外面から突出した突出部７Ｌがたとえばバーリング加工等により略円筒状に形成されている。また、シャッターノブ７ｂは、シャッターノブ７ｂはたとえばアルミ合金や（Ａ２０１１、Ａ２０１７、Ａ２０２４）等からなっており、突出部７Ｌを挿入するための円筒状の挿入穴７ｈを端部の中央に形成した略キャップ状の部材からなっている。そして、シャッターノブ７ｂは、突出部７Ｌに挿入穴７ｈを圧入することにより、下シャッタ部材７Ｄに取り付けられている。これにより、シャッターノブ７ｂの強度の観点からシャッターノブ７ｂにアルミ合金等のような硬い材料を用いたときであっても、効率的にロータリシャッター７にシャッターノブ７ｂを取り付けることができる。
【００１８】
すなわち、シャッターノブ７ｂの耐久性の観点から考慮したとき、シャッターノブ７ｂはディスクカートリッジ１がディスクドライブに装填されるたびに、ディスクドライブから力が加えられる部位であるため、たとえばアルミ合金（Ａ２０１１、Ａ２０１７、Ａ２０２４）等の比較的硬い材料を用いることが望ましい。しかし、シャッターノブ７ｂに硬い材料を用いてしまうと、シャッターノブ７ｂをカシメ加工する際に、大きい圧力をシャッターノブ７ｂおよびロータリシャッター７に加える必要があり、カシメ加工に手間が掛かってしまう。そこで、上述のように圧入によりシャッターノブ７ｂをロータリシャッター７に取り付けることにより、カシメ加工を不要にして効率よくロータリシャッター７にシャッターノブ７ｂを取り付けることができる。
【００１９】
さらに、突出部７Ｌの先端には突出部７Ｌの外周から突出した凸部７ｃが略鏃状に形成されており、挿入穴７ｈにおける凸部７ｃに対応する位置には凹部７ｅが形成されている。そして、突出部７Ｌが挿入穴７ｈに挿入されたときに、凹部７ｅが凸部７ｃにより係止されることになる。これにより、シャッターノブ７ｂを圧入によりロータリシャッター７に取り付けた場合であっても、シャッターノブ７ｂがロータリシャッター７から外れるのを確実に防止することができる。
【００２０】
上記実施の形態によれば、ロータリシャッター７が外面から突出した突出部７Ｌを有し、シャッターノブ７ｂが、突出部７Ｌが挿入される挿入穴７ｈを備えたことにより、シャッターノブ７ｂをカシメ加工を行うことなくロータリシャッター７に取り付けることができるため、効率的にロータリシャッター７にシャッターノブ７ｂを取り付けることができる。
【００２１】
また、突出部７Ｌの外周に凸部７ｃを形成し、挿入穴７ｈの凸部７ｃに対応する位置に凹部７ｅが形成されている構造にすれば、シャッターノブ７ｂが突出部７Ｌから抜けるのを確実に防止することができる。
【００２２】
本発明の実施の形態は、上記実施の形態に限定されない。たとえば、図３（ｂ）において凸部７ｃが略鏃状に形成された場合について例示しているが、凸部７ｃおよび凹部７ｅが形成されていなくてもよい。この場合、突出部７Ｌの径が挿入穴７ｈの径よりも大きく形成されており、挿入穴７ｈに突出部７Ｌが圧入されることにより、シャッターノブ７ｂがロータリシャッター７から外れないように取り付けられることになる。
【００２３】
また、上記実施の形態において、下シャッタ部材７Ｄ側にシャッターノブ７ｂを設ける場合について例示しているが、上シャッタ部材７Ｕ側にシャッターノブ７ｂを設ける場合であっても、上述したシャッターノブ７ｂを用いることができる。
【図面の簡単な説明】
【図１】本発明のディスクカートリッジの好ましい実施の形態におけるロータリシャッターが閉状態にある状態を示す平面図および底面図
【図２】本発明のディスクカートリッジの好ましい実施の形態におけるロータリシャッターが開状態にある状態を示す平面図および底面図
【図３】本発明のディスクカートリッジにおけるシャッターノブの周辺部位を示す模式図
【符号の説明】
１      ディスクカートリッジ
５      情報記録媒体
６      開口部
７ｂ    シャッターノブ
７      ロータリシャッター
７Ｕ    上シャッタ部材
７Ｄ    下シャッタ部材
７ｃ    凸部
７ｅ    凹部
７ｈ    挿入穴
７Ｌ    突出部
１０    センターコア
【図１】
2004348798.tif 000003
【図２】
2004348798.tif 000004
【図３】
2004348798.tif 000005